【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
移動局を基地局に登録するための移動局における方法であって、
第１のリストで識別されるセルの数を判定することと、
前記第１のリストで識別されるセルの数が、予め定めた制限に等しければ、前記移動局を前記基地局に登録することと、
前記移動局を登録した後に、前記移動局が最後に登録したセルとは異なり、前記第１のリストで識別されるセルを、第２のリストに移動することと
を含む方法。
【請求項２】
請求項１に記載の方法において、パイロット信号の強度が、予め定めた閾値以上であるセルが、前記第２のリストに含まれていなければ、前記セルを前記第１のセルに加えることを更に含む方法。
【請求項３】
移動局を基地局に登録する装置であって、
第１のリストで識別されるセルの数を判定する手段と、
前記第１のリストで識別されるセルの数が、予め定めた制限に等しいのであれば、前記移動局を前記基地局に登録する手段と、
前記移動局を登録した後に、前記移動局が最後に登録したセルとは異なり、前記第１のリストで識別されるセルを、第２のリストに移動する手段と
を備えた装置。
【請求項４】
請求項３に記載の装置において、パイロット信号の強度が、予め定めた閾値以上であるセルが、前記第２のリストに含まれていなければ、前記セルを前記第１のセルに加える手段を更に備えた装置。
【請求項５】
コンピュータに、第１のリストで識別されるセルの数を判定させるコードと、
前記第１のリストで識別されるセルの数が、予め定めた制限に等しければ、コンピュータに、前記移動局を前記基地局に登録させるコードと、
コンピュータに前記移動局を登録させた後に、前記移動局が最後に登録したセルとは異なり、前記第１のリストで識別されるセルを、コンピュータに、第２のリストに移動させるコードと
を含むコンピュータ読取可能媒体を備えたコンピュータプログラム製品。
【請求項６】
パイロット信号の強度が、予め定めた閾値以上であるセルが、前記第２のリストに含まれていなければ、コンピュータに、前記セルを前記第１のセルに加えさせるコードを更に含む請求項５に記載のコンピュータ読取可能媒体。
【請求項７】
移動局であって、
基地局から情報を受信できる受信機と、
情報を前記基地局に送信できる送信機と、
前記移動局を基地局に登録し、
第１のリストで識別されるセルの数を判定し、
前記第１のリストで識別されるセルの数が、予め定めた制限に等しければ、前記移動局を前記基地局に登録し、
前記移動局を登録した後に、前記移動局が最後に登録したセルとは異なり、前記第１のリストで識別されるセルを、第２のリストに移動することができるプロセッサと
を備えた移動局。
【請求項８】
前記プロセッサは更に、パイロット信号の強度が、予め定めた閾値以上であるセルが、前記第２のリストに含まれていなければ、前記セルを前記第１のセルに加えることができる請求項７に記載の移動局。
【請求項９】
目標移動局をページする方法であって、
目標移動局に向けられた情報を受信することと、
前記目標移動局が最後に登録したセルに中心があり、前記セルの周囲に、予め定めた数のセルまで拡張するページングエリアにおいて前記目標移動局をページすることと
を含む方法。
【請求項１０】
前記目標移動局が位置決めされれば、前記情報を前記目標移動局に送ることを更に含む請求項９に記載の方法。
【請求項１１】
前記目標移動局が位置決めされなければ、前記目標移動局を位置決めできる隣接基地局コントローラを決定することを更に含む請求項１０に記載の方法。
【請求項１２】
前記目標移動局に配信するために、前記目標移動局を位置決めする前記隣接基地局コントローラに前記情報を送ることを更に含む請求項１１に記載の方法。
【請求項１３】
移動局コントローラに接続された基地局コントローラ全てが前記目標移動局を位置決めできないのであれば、前記移動局コントローラが前記目標移動局を位置決めできるかを判定することを更に含む請求項１１に記載の方法。
【請求項１４】
前記移動局コントローラが前記目標移動局を位置決めすれば、前記目標移動局に配信するために、前記移動局コントローラに前記情報を送ることを更に含む請求項１３に記載の方法。
【請求項１５】
目標移動局をページする方法を実行するようにプロセッサをイネーブルするコードを格納するコンピュータ読取可能媒体であって、前記方法は、
目標移動局に向けられた情報を受信することと、
前記目標移動局が最後に登録したセルに中心があり、前記セルの周囲に、予め定めた数のセルまで拡張するページングエリアにおいて前記目標移動局をページすることとを含むコンピュータ読取可能媒体。
【請求項１６】
前記方法は更に、前記目標移動局が位置決めされれば、前記情報を前記目標移動局に送ることを含む請求項１５に記載のコンピュータ読取可能媒体。
【請求項１７】
前記方法は更に、前記目標移動局が位置決めされなければ、前記目標移動局を位置決めできる隣接基地局コントローラを決定することを含む請求項１６に記載のコンピュータ読取可能媒体。
【請求項１８】
前記方法は更に、前記目標移動局に配信するために、前記目標移動局を位置決めする隣接基地局コントローラに前記情報を送ることを含む請求項１７に記載のコンピュータ読取可能媒体。
【請求項１９】
前記方法は更に、移動局コントローラに接続された基地局コントローラ全てが前記目標移動局を位置決めできないのであれば、前記移動局コントローラが前記目標移動局を位置決めできるかを判定することを含む請求項１７に記載のコンピュータ読取可能媒体。
【請求項２０】
前記方法は更に、前記移動局コントローラが前記目標移動局を位置決めすれば、前記目標移動局に配信するために、前記移動局コントローラに前記情報を送ることを含む請求項１９に記載のコンピュータ読取可能媒体。
【請求項２１】
目標移動局をページする装置であって、
目標移動局に向けられた情報を受信する手段と、
前記目標移動局が最後に登録したセルに中心があり、前記セルの周囲に、予め定めた数のセルまで拡張するページングエリアにおいて前記目標移動局をページする手段と
を備えた装置。
【請求項２２】
前記目標移動局が位置決めされれば、前記情報を前記目標移動局に送る手段を更に備えた請求項２１に記載の装置。
【請求項２３】
前記目標移動局が位置決めされなければ、前記目標移動局を位置決めできる隣接基地局コントローラを決定する手段を更に備えた請求項２２に記載の装置。
【請求項２４】
前記目標移動局に配信するために、前記目標移動局を位置決めする隣接基地局コントローラに前記情報を送る手段を更に備えた請求項２３に記載の装置。
【請求項２５】
移動局コントローラに接続された基地局コントローラ全てが前記目標移動局を位置決めできないのであれば、前記移動局コントローラが前記目標移動局を位置決めできるかを判定する手段を更に備えた請求項２３に記載の装置。
【請求項２６】
前記移動局コントローラが前記目標移動局を位置決めすれば、前記目標移動局に配信するために、前記移動局コントローラに前記情報を送る手段を更に備えた請求項２５に記載の装置。
【請求項２７】
目標移動局をページする基地局コントローラであって、
目標移動局からの情報を受信できる受信機と、
情報を前記目標移動局に送信できる送信機と、
前記目標移動局をページする方法を実行できるプロセッサとを備え、
前記方法は、
目標移動局に向けられた情報を受信することと、
前記目標移動局が最後に登録したセルに中心があり、前記セルの周囲に、予め定めた数のセルまで拡張するページングエリアにおいて前記目標移動局をページすることとを含んでいる基地局コントローラ。
【請求項２８】
前記方法は更に、前記移動局コントローラが前記目標移動局を位置決めすれば、前記目標移動局に配信するために、前記移動局コントローラに前記情報を送ることを含む請求項２７に記載の基地局コントローラ。
【請求項２９】
前記方法は更に、前記基地局コントローラが前記目標移動局を位置決めできなければ、前記目標移動局を位置決めすることができる隣接基地局コントローラを決定することを含む請求項２８に基地局コントローラ。
【請求項３０】
前記方法は更に、前記目標移動局に配信するために、前記目標移動局を位置決めする隣接基地局コントローラに前記情報を送ることを含む請求項２９に基地局コントローラ。
【請求項３１】
前記方法は更に、移動局コントローラに接続された基地局コントローラ全てが前記目標移動局を位置決めできないのであれば、前記移動局コントローラが前記目標移動局を位置決めできるかを判定することを含む請求項２９に記載の基地局コントローラ。
【請求項３２】
前記方法は更に、前記移動局コントローラが前記目標移動局を位置決めすれば、前記目標移動局に配信するために、前記移動局コントローラに前記情報を送ることを含む請求項３１に記載の基地局コントローラ。
【手続補正２】
【補正対象書類名】明細書
【補正対象項目名】０００５
【補正方法】変更
【補正の内容】
【０００５】
開示された実施例は、無線通信ネットワークにおいて、移動局のページング及び登録を最適化する斬新でかつ改良された方法及び装置を提供する。１つの局面では、基地局（ＢＳ）に移動局（ＭＳ）を登録するためのＭＳ内の方法は、第１のリストで識別されるセルの数を判定することと、もしも第１のリストで識別されるセルの数が、あらかじめ定めた制限に等しければＭＳをＢＳに登録することとの各ステップを含む。
【手続補正３】
【補正対象書類名】明細書
【補正対象項目名】０００６
【補正方法】変更
【補正の内容】
【０００６】
１つの局面では、目標移動局（ＭＳ）をページするための方法は、目標ＭＳに向けられた情報を受信することと、前記目標移動局が最後に登録したセルに中心があり、前記セルの周囲に、予め定めた数のセルまで拡張するページングエリアにおいて目標移動局をページすることとの各ステップを含む。
【手続補正４】
【補正対象書類名】明細書
【補正対象項目名】００２７
【補正方法】変更
【補正の内容】
【００２７】
「即時の応答」は、グループ通話サーバが、ＰＴＴ又はグループ通話要求に応答するのに要する応答時間に関連する。ＰＴＴ又はグループ通話要求へ応答することの目標は、例えば１秒又はそれ未満のような予め定めた時間内にこの要求に対して堅実に応答することである。多くの場合、呼出人がグループ通話を設定するよう要求したときには、呼出人のパケットデータセッションは休止している。これは、専用のトラフィックチャネルが存在しないことを意味する。専用のトラフィックチャネルを再確立することは、かなりの時間を必要とする。
【手続補正５】
【補正対象書類名】明細書
【補正対象項目名】００４９
【補正方法】変更
【補正の内容】
【００４９】
図１３は、１つの実施例に従って、ページングスキームを示している。ステップ１３０２では、ＢＳＣが、セルＸ内に位置している目標ＭＳから登録情報を受信する。ステップ１３０４では、ＢＳＣが、目標ＭＳに配信するために、例えばデータ、音声、画像、テキスト、映像、又はこれら任意の組み合わせである情報を受信すると、ＢＳＣは、予め定めたエリア、又は動的に定められたエリアであるページングエリアに基づいて目標ＭＳをページする。ステップ１３０６では、目標ＭＳが最後に登録したセルから、又はそのセルの周りのセルの一定数に基づいて、ページングエリアを設定する。例えば、ページングエリアは、セルＸに中心があり、かつ例えばＭＡＸ＿ＮＵＭ＿ＣＥＬＬＳから１を引いたような予め定めた数まで拡張されるエリアに入るセルを含みうる。